【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
電動送風機の駆動によって発生する気流とともに塵埃を吸込口体の吸込口から吸い込み、吸い込んだ気流を集塵装置に導入して塵埃を捕集する電気掃除機において、
前記吸込口体に、互いに独立した吸込通路に連通する第１の吸込口及び第２の吸込口を設け、前記第２の吸込口は前記第１の吸込口の開口面積よりも小さく、且つ第１の吸込口に平行する形で、第１の吸込口の前方に位置して形設されるとともに、この第２の吸込口に対する吸込通路は第１の吸込口に対する吸込通路に重なるように配置されたことを特徴とする電気掃除機。
【請求項２】
前記第1の吸込口及び第２の吸込口を切り替え使用する吸込口切替装置を設けるとともに、前記第２の吸込口から前記吸込口切替装置に至る吸込通路の一部が着脱可能な蓋により構成されていることを特徴とする請求項１に記載の電気掃除機。
【請求項３】
前記第1の吸込口及び第２の吸込口を切り替え使用する吸込口切替装置を設け、この吸込口切換装置は前記第１の吸込口に連通する吸込通路と前記第２の吸込口に連通する吸込通路とを選択的に閉ざす切替弁を含み、この切替弁の回動軸は気流の上流側に配置されていることを特徴とする請求項１に記載の電気掃除機。
【請求項４】
前記吸込口体に左右一対の後方突出部を形設し、これら後方突出部の間に掃除機本体を配置し且つ回動自在に連結するとともに、この後方突出部の一方に前記第１の吸込口及び第２の吸込口を切り替え使用する前記吸込口切替装置を配置させたことを特徴とする請求項２又は請求項３に記載の電気掃除機。
【請求項５】
電動送風機の駆動によって発生する気流とともに塵埃を吸込口体の吸込口から吸い込み、吸い込んだ気流を集塵装置に導入して塵埃を捕集する電気掃除機において、
前記吸込口にこの吸込口の開口面積を調整する開口面積調節装置を設け、且つ、前記吸込口体内にアジテータを設けるとともに、前記吸込口の開口面積が前記開口面積調節装置によりアジテータ駆動に適する大きさとされたときに前記アジテータの駆動が可能となることを特徴とする電気掃除機。
【請求項６】
電動送風機の駆動によって発生する気流とともに塵埃を吸込口体の吸込口から吸い込み、吸い込んだ気流を集塵装置に導入して塵埃を捕集する電気掃除機において、
前記吸込口にこの吸込口の開口面積を調整する開口面積調節装置を設け、且つ、前記吸込口体内にアジテータを設けるとともに、このアジテータの前記吸込口からの出具合を制御する出し入れ装置を設けたことを特徴とする電気掃除機。
【請求項７】
前記吸込口の開口面積が前記開口面積調節装置によりアジテータ駆動に適する大きさとされたときに前記アジテータが前記出し入れ装置により稼動位置に突出せしめられることを特徴とする請求項６に記載の電気掃除機。
【請求項８】
各々吸込口開口を備えるとともに前記吸込口体に着脱自在に結合する複数のカバーを設け、カバー毎に吸込口開口の面積を変えることにより前記開口面積調節装置を構成することを特徴とする請求項５〜請求項７のいずれかに記載の電気掃除機。
【手続補正２】
【補正対象書類名】明細書
【補正対象項目名】０００４
【補正方法】変更
【補正の内容】
【０００４】
【課題を解決するための手段】
上記目的を達成するため、本発明は、電動送風機の駆動によって発生する気流とともに塵埃を吸込口体の吸込口から吸い込み、吸い込んだ気流を集塵装置に導入して塵埃を捕集する電気掃除機において、前記吸込口体に、互いに独立した吸込通路に連通する第１の吸込口及び第２の吸込口を設け、前記第２の吸込口は前記第１の吸込口の開口面積よりも小さく、且つ第１の吸込口に平行する形で、第１の吸込口の前方に位置して形設されるとともに、この第２の吸込口に対する吸込通路は第１の吸込口に対する吸込通路に重なるように配置させた。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
この構成によれば、吸込口体は１つでありながら２種類の吸込口を用いることができる。また、開口面積の広い第１の吸込口によって広い範囲に吸塵力を及ぼすとともに、開口面積の狭い第２の吸込口によって高速の吸込気流を発生させることができる。さらに、気流の流速の速い第２の吸込口が第１の吸込口に平行する形で、第１の吸込口の前方に位置するから、部屋の隅や窓際の掃除がしやすい。
【手続補正５】
【補正対象書類名】明細書
【補正対象項目名】０００７
【補正方法】変更
【補正の内容】
【０００７】
また、上記電気掃除機は、前記第1の吸込口及び第２の吸込口を切り替え使用する吸込口切替装置を設けるとともに、前記第２の吸込口から前記吸込口切替装置に至る吸込通路の一部が着脱可能な蓋により構成されている。
【手続補正６】
【補正対象書類名】明細書
【補正対象項目名】０００８
【補正方法】変更
【補正の内容】
【０００８】
この構成によれば、蓋を外すことにより吸込通路のごみ詰まり処理を簡単に行うことができる。
【手続補正７】
【補正対象書類名】明細書
【補正対象項目名】０００９
【補正方法】変更
【補正の内容】
【０００９】
また、上記電気掃除機は、前記第1の吸込口及び第２の吸込口を切り替え使用する吸込口切替装置を設け、この吸込口切換装置は前記第１の吸込口に連通する吸込通路と前記第２の吸込口に連通する吸込通路とを選択的に閉ざす切替弁を含み、この切替弁の回動軸は気流の上流側に配置されている。
【手続補正８】
【補正対象書類名】明細書
【補正対象項目名】００１０
【補正方法】変更
【補正の内容】
【００１０】
この構成によれば、切替弁の回動軸に塵埃がからまりにくくなる。
【手続補正９】
【補正対象書類名】明細書
【補正対象項目名】００１１
【補正方法】変更
【補正の内容】
【００１１】
また、上記電気掃除機は、前記吸込口体に左右一対の後方突出部を形設し、これら後方突出部の間に掃除機本体を配置し且つ回動自在に連結するとともに、この後方突出部の一方に前記第１の吸込口及び第２の吸込口を切り替え使用する前記吸込口切替装置を配置させた。
【手続補正１０】
【補正対象書類名】明細書
【補正対象項目名】００１２
【補正方法】変更
【補正の内容】
【００１２】
この構成によれば、吸込口配置個所と吸込口切替装置の配置個所とが基本的に分かれることとなり、吸込口まわりの構成をコンパクトにできる。
【手続補正１１】
【補正対象書類名】明細書
【補正対象項目名】００１３
【補正方法】変更
【補正の内容】
【００１３】
また、本発明は、電動送風機の駆動によって発生する気流とともに塵埃を吸込口体の吸込口から吸い込み、吸い込んだ気流を集塵装置に導入して塵埃を捕集する電気掃除機において、前記吸込口にこの吸込口の開口面積を調整する開口面積調節装置を設け、且つ、前記吸込口体内にアジテータを設けるとともに、前記吸込口の開口面積が前記開口面積調節装置によりアジテータ駆動に適する大きさとされたときに前記アジテータの駆動が可能となることとした。
【手続補正１２】
【補正対象書類名】明細書
【補正対象項目名】００１４
【補正方法】変更
【補正の内容】
【００１４】
この構成によれば、アジテータ駆動に適した面積の吸込口でアジテータを駆動することができる。
【手続補正１３】
【補正対象書類名】明細書
【補正対象項目名】００１５
【補正方法】変更
【補正の内容】
【００１５】
また、本発明は、電動送風機の駆動によって発生する気流とともに塵埃を吸込口体の吸込口から吸い込み、吸い込んだ気流を集塵装置に導入して塵埃を捕集する電気掃除機において、前記吸込口にこの吸込口の開口面積を調整する開口面積調節装置を設け、且つ、前記吸込口体内にアジテータを設けるとともに、このアジテータの前記吸込口からの出具合を制御する出し入れ装置を設けた。
【手続補正１４】
【補正対象書類名】明細書
【補正対象項目名】００１６
【補正方法】変更
【補正の内容】
【００１６】
この構成によれば、必要なときだけアジテータを突出させ、不必要なときは吸込口の中にアジテータを引っ込めることができる。
【手続補正１５】
【補正対象書類名】明細書
【補正対象項目名】００１７
【補正方法】変更
【補正の内容】
【００１７】
また、上記電気掃除機は、前記吸込口の開口面積が前記開口面積調節装置によりアジテータ駆動に適する大きさとされたときに前記アジテータが前記出し入れ装置により稼動位置に突出せしめられることとした。
【手続補正１６】
【補正対象書類名】明細書
【補正対象項目名】００１８
【補正方法】変更
【補正の内容】
【００１８】
この構成によれば、必要なときだけアジテータ駆動に適した面積に調節された吸込口からアジテータを突出させ、不必要なときは吸込口の中にアジテータを引っ込めることができる。
【手続補正１７】
【補正対象書類名】明細書
【補正対象項目名】００１９
【補正方法】変更
【補正の内容】
【００１９】
また、上記電気掃除機は、各々吸込口開口を備えるとともに前記吸込口体に着脱自在に結合する複数のカバーを設け、カバー毎に吸込口開口の面積を変えることにより前記開口面積調節装置を構成することとした。
【手続補正１８】
【補正対象書類名】明細書
【補正対象項目名】００２０
【補正方法】変更
【補正の内容】
【００２０】
この構成によれば、吸込口体の内部に複雑な機構を設けなくても吸込口の開口面積を調節できる。
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】０１７５
【補正方法】変更
【補正の内容】
【０１７５】
電動送風機の駆動によって発生する気流とともに塵埃を吸込口体の吸込口から吸い込み、吸い込んだ気流を集塵装置に導入して塵埃を捕集する電気掃除機において、前記吸込口体に、互いに独立した吸込通路に連通する第１の吸込口及び第２の吸込口を設け、前記第２の吸込口は前記第１の吸込口の開口面積よりも小さく、且つ第１の吸込口に平行する形で、第１の吸込口の前方に位置して形設されるとともに、この第２の吸込口に対する吸込通路は第１の吸込口に対する吸込通路に重なるように配置したので、吸込口体は１つでありながら２種類の吸込口を用いることができる。また、開口面積の広い第１の吸込口によって広い範囲に吸塵力を及ぼすとともに、開口面積の狭い第２の吸込口によって高速の吸込気流を発生させることができる。さらに、気流の流速の速い第２の吸込口が第１の吸込口に平行する形で、第１の吸込口の前方に位置するから、部屋の隅や窓際の掃除がしやすい。
【手続補正４４】
【補正対象書類名】明細書
【補正対象項目名】０１７６
【補正方法】変更
【補正の内容】
【０１７６】
また、上記のような電気掃除機において、前記第1の吸込口及び第２の吸込口を切り替え使用する吸込口切替装置を設けるとともに、前記第２の吸込口から前記吸込口切替装置に至る吸込通路の一部が着脱可能な蓋により構成されているので、蓋を外すことにより吸込通路のごみ詰まり処理を簡単に行うことができる。
【手続補正４５】
【補正対象書類名】明細書
【補正対象項目名】０１７７
【補正方法】変更
【補正の内容】
【０１７７】
また、上記のような電気掃除機において、前記第1の吸込口及び第２の吸込口を切り替え使用する吸込口切替装置を設け、この吸込口切換装置は前記第１の吸込口に連通する吸込通路と前記第２の吸込口に連通する吸込通路とを選択的に閉ざす切替弁を含み、この切替弁の回動軸は気流の上流側に配置されているので、切替弁の回動軸に塵埃がからまりにくくなる。
【手続補正４６】
【補正対象書類名】明細書
【補正対象項目名】０１７８
【補正方法】変更
【補正の内容】
【０１７８】
また、上記のような電気掃除機において、前記吸込口体に左右一対の後方突出部を形設し、これら後方突出部の間に掃除機本体を配置し且つ回動自在に連結するとともに、この後方突出部の一方に前記第１の吸込口及び第２の吸込口を切り替え使用する前記吸込口切替装置を配置させたので、吸込口配置個所と吸込口切換装置の配置個所とが基本的に分かれることとなり、吸込口まわりの構成をコンパクトにできる。
【手続補正４７】
【補正対象書類名】明細書
【補正対象項目名】０１７９
【補正方法】変更
【補正の内容】
【０１７９】
また、電動送風機の駆動によって発生する気流とともに塵埃を吸込口体の吸込口から吸い込み、吸い込んだ気流を集塵装置に導入して塵埃を捕集する電気掃除機において、前記吸込口にこの吸込口の開口面積を調整する開口面積調節装置を設け、且つ、前記吸込口体内にアジテータを設けるとともに、前記吸込口の開口面積が前記開口面積調節装置によりアジテータ駆動に適する大きさとされたときに前記アジテータの駆動が可能となることとしたので、アジテータ駆動に適した面積の吸込口でアジテータを駆動することができる。
【手続補正４８】
【補正対象書類名】明細書
【補正対象項目名】０１８０
【補正方法】変更
【補正の内容】
【０１８０】
また、電動送風機の駆動によって発生する気流とともに塵埃を吸込口体の吸込口から吸い込み、吸い込んだ気流を集塵装置に導入して塵埃を捕集する電気掃除機において、前記吸込口にこの吸込口の開口面積を調整する開口面積調節装置を設け、且つ、前記吸込口体内にアジテータを設けるとともに、このアジテータの前記吸込口からの出具合を制御する出し入れ装置を設けたので、必要なときだけアジテータを突出させ、不必要なときは吸込口の中にアジテータを引っ込めることができる。
【手続補正４９】
【補正対象書類名】明細書
【補正対象項目名】０１８１
【補正方法】変更
【補正の内容】
【０１８１】
また、上記のような電気掃除機において、前記吸込口の開口面積が前記開口面積調節装置によりアジテータ駆動に適する大きさとされたときに前記アジテータが前記出し入れ装置により稼動位置に突出せしめられることとしたので、必要なときだけアジテータ駆動に適した面積に調節された吸込口からアジテータを突出させ、不必要なときは吸込口の中にアジテータを引っ込めることができる。
【手続補正５０】
【補正対象書類名】明細書
【補正対象項目名】０１８２
【補正方法】変更
【補正の内容】
【０１８２】
また、上記のような電気掃除機において、各々吸込口開口を備えるとともに前記吸込口体に着脱自在に結合する複数のカバーを設け、カバー毎に吸込口開口の面積を変えることにより前記開口面積調節装置を構成することとしたので、吸込口体の内部に複雑な機構を設けなくても吸込口の開口面積を調節できる。
【手続補正５１】
【補正対象書類名】明細書
【補正対象項目名】０１８３
【補正方法】削除
【補正の内容】
【手続補正５２】
【補正対象書類名】明細書
【補正対象項目名】０１８４
【補正方法】削除
【補正の内容】
【手続補正５３】
【補正対象書類名】明細書
【補正対象項目名】０１８５
【補正方法】削除
【補正の内容】
【手続補正５４】
【補正対象書類名】明細書
【補正対象項目名】０１８６
【補正方法】削除
【補正の内容】
【手続補正５５】
【補正対象書類名】明細書
【補正対象項目名】０１８７
【補正方法】削除
【補正の内容】
【手続補正５６】
【補正対象書類名】明細書
【補正対象項目名】０１８８
【補正方法】削除
【補正の内容】
【手続補正５７】
【補正対象書類名】明細書
【補正対象項目名】０１８９
【補正方法】削除
【補正の内容】
【手続補正５８】
【補正対象書類名】明細書
【補正対象項目名】０１９０
【補正方法】削除
【補正の内容】
【手続補正５９】
【補正対象書類名】明細書
【補正対象項目名】０１９１
【補正方法】削除
【補正の内容】
【手続補正６０】
【補正対象書類名】明細書
【補正対象項目名】０１９２
【補正方法】削除
【補正の内容】
【手続補正６１】
【補正対象書類名】明細書
【補正対象項目名】０１９３
【補正方法】削除
【補正の内容】
【手続補正６２】
【補正対象書類名】明細書
【補正対象項目名】０１９４
【補正方法】削除
【補正の内容】